(57)【要約】  吸入管及び毛細管の熱が貯蔵室内に侵入することを抑制すること、及び、外箱の露付きを抑制することを両立することができる冷蔵庫を提供する。  断熱材は、冷却器の背面側に位置するように設けられ、前面が内箱の背面と対向して設けられた発泡断熱材と、前面が発泡断熱材に対向して設けられ、背面が外箱の前面と対向して設けられた真空断熱材とを含み、毛細管及び吸入管は、断熱材のうちの発泡断熱材を通過した状態で設けられ、毛細管、吸入管、発泡断熱材及び真空断熱材は、毛細管及び吸入管のうち内箱に近い方のものと内箱の背面との距離をｄ１とし、真空断熱材の厚みをｄ２とし、発泡断熱材の熱伝導率をλａとし、真空断熱材の熱伝導率をλｂとし、比率ｃ１をｃ１＝（ｄ１／λａ）／（ｄ２／λｂ）との式で表したときにおいて、比率ｃ１の値が、０．０２５以上０．０５未満になるように構成されている。
2017022102.tif 000002
【特許請求の範囲】
【請求項１】
内箱と、前記内箱の外側に配置された外箱と、前記内箱と前記外箱との間に位置する断熱材とを含む断熱箱体と、  圧縮機、凝縮器、毛細管、冷却器及び吸入管がこの順番で接続されて構成された冷凍サイクル装置と、  を備え、  前記断熱材は、  前記冷却器の背面側に位置するように設けられ、  前面が前記内箱の背面と対向して設けられた発泡断熱材と、  前面が前記発泡断熱材に対向して設けられ、背面が前記外箱の前面と対向して設けられた真空断熱材とを含み、  前記毛細管及び前記吸入管は、  前記断熱材のうちの前記発泡断熱材を通過した状態で設けられ、  前記毛細管、前記吸入管、前記発泡断熱材及び前記真空断熱材は、  前記毛細管及び前記吸入管のうち前記内箱に近い方のものと前記内箱の背面との距離をｄ１とし、  前記真空断熱材の厚みをｄ２とし、  前記発泡断熱材の熱伝導率をλａとし、  前記真空断熱材の熱伝導率をλｂとし、  比率ｃ１をｃ１＝（ｄ１／λａ）／（ｄ２／λｂ）との式で表したときにおいて、  前記比率ｃ１の値が、０．０２５以上０．０５未満になるように構成されている  冷蔵庫。
【請求項２】
前記距離ｄ１は、  ３．７５ｍｍ以上であって１０．０ｍｍ未満であり、  前記厚みｄ２は、  １５ｍｍ以上であって２０ｍｍ以下である  請求項１に記載の冷蔵庫。
【請求項３】
前記毛細管よりも前記吸入管の方が、前記外箱側に配置されている  請求項１又は２に記載の冷蔵庫。
【請求項４】
前記内箱は、  前記毛細管の配置位置に設けられ、前記外箱側に突出する凸部を含み、  前記吸入管及び前記毛細管は、  前記凸部に固定されている  請求項３に記載の冷蔵庫。
【請求項５】
前記内箱には、  発泡体で構成され、前記毛細管の配置位置に位置する固定部材が設けられ、  前記吸入管及び前記毛細管は、  前記固定部材に固定されている  請求項３に記載の冷蔵庫。
【請求項６】
前記発泡断熱材は、ウレタンで構成されている  請求項１〜５のいずれか一項に記載の冷蔵庫。
【発明の詳細な説明】
【技術分野】
【０００１】  本発明は、冷蔵庫に関し、特に、冷媒が流れ、断熱箱体に付設される吸入管等の構成に関するものである。
【背景技術】
【０００２】  冷蔵庫は、例えば、内箱及び外箱を含む断熱箱体と、冷凍サイクル装置とを備えている。ここで、冷凍サイクル装置は、例えば、冷媒を圧縮する圧縮機と、冷媒を放熱させる放熱器（凝縮器）と、冷媒を減圧する減圧機構と、冷媒を蒸発させる蒸発器とを含む。なお、放熱器には、例えば、断熱箱体内を引き回すように配置される放熱パイプが用いられ、減圧機構には、例えば、毛細管が用いられる。また、蒸発器が、冷蔵庫内の貯蔵室を冷却する冷却器である。  ところで、圧縮機の冷媒吸入側と冷却器の下流側とは、接続されている。しかし、圧縮機の配置位置と、冷却器の配置位置は離れているため、両者は吸入管で接続されている。【０００３】  吸入管及び毛細管は、例えば、冷蔵庫の断熱箱体の背面側に配置される（例えば、特許文献１参照）。特許文献１の吸入管及び毛細管は、内箱と外箱との間に形成され、ウレタンが充填される空間に配置されている。
【先行技術文献】
【特許文献】
【０００４】
【特許文献１】特開２００５−９０８５３号公報
【発明の概要】
【発明が解決しようとする課題】
【０００５】  冷却器を流れる冷媒は、冷却器に供給される空気から熱を奪っている。これにより、冷却器を流れる冷媒は蒸発し、冷却器に供給される空気は冷却される。したがって、貯蔵室温度が吸入管温度よりも低い場合には、吸入管が内箱の近くに配置されている程、吸入管の熱が貯蔵室内に侵入してしまいやすくなる。  毛細管についても同様のことをいうことができる。すなわち、貯蔵室温度が毛細管温度よりも低い場合には、毛細管が内箱の近くに配置されている程、毛細管の熱が貯蔵室内に侵入してしまいやすくなる。【０００６】  また、吸入管を流れる冷媒の温度は、通常、外気に触れている外箱よりも温度が低い。このため、吸入管が外箱の近くに配置されている程、吸入管の冷熱が外箱に伝達されてしまいやすくなる。なお、外箱の温度が低下し、露点温度以下になると露付きが発生してしまう。【０００７】  本発明は以上のような課題を解決するためになされたものであり、吸入管及び毛細管の熱が貯蔵室内に侵入することを抑制すること、及び、外箱の露付きを抑制することを両立することができる冷蔵庫を提供することを目的としている。
【課題を解決するための手段】
【０００８】  本発明に係る冷蔵庫は、内箱と、内箱の外側に配置された外箱と、内箱と外箱との間に位置する断熱材とを含む断熱箱体と、圧縮機、凝縮器、毛細管、冷却器及び吸入管がこの順番で接続されて構成された冷凍サイクル装置と、を備え、断熱材は、冷却器の背面側に位置するように設けられ、前面が内箱の背面と対向して設けられた発泡断熱材と、前面が発泡断熱材に対向して設けられ、背面が外箱の前面と対向して設けられた真空断熱材とを含み、毛細管及び吸入管は、断熱材のうちの発泡断熱材を通過した状態で設けられ、毛細管、吸入管、発泡断熱材及び真空断熱材は、毛細管及び吸入管のうち内箱に近い方のものと内箱の背面との距離をｄ１とし、真空断熱材の厚みをｄ２とし、発泡断熱材の熱伝導率をλａとし、真空断熱材の熱伝導率をλｂとし、比率ｃ１をｃ１＝（ｄ１／λａ）／（ｄ２／λｂ）との式で表したときにおいて、比率ｃ１の値が、０．０２５以上０．０５未満になるように構成されているものである。
【発明の効果】
【０００９】  本発明に係る冷蔵庫は、上記比率ｃ１が０．０２５以上０．０５未満になるように構成されているので、吸入管及び毛細管の熱が貯蔵室内に侵入することを抑制すること、及び、外箱の露付きを抑制することを両立することができる。
【図面の簡単な説明】
【００１０】
【図１Ａ】本発明の実施の形態に係る冷蔵庫の正面図である。
【図１Ｂ】（ａ）が図１に示す冷蔵庫の断面図であり、（ｂ）が冷蔵庫が備える冷凍サイクル装置等の概要説明図である。
【図２】本発明の実施の形態に係る冷蔵庫を背面側から見た説明図である。
【図３】本発明の実施の形態に係る冷蔵庫の外箱及び内箱と、吸入管及び毛細管とを断面視した説明図である。
【図４】比率ｃ１と冷蔵庫の貯蔵室への熱侵入量との関係と、比率ｃ１と外箱背面温度との関係を示すグラフである。
【図５】冷蔵庫内側の熱と冷蔵庫外側の熱とのやりとりについての説明図である。
【図６】本発明の実施の形態に係る冷蔵庫の変形例１の説明図である。
【図７】本発明の実施の形態に係る冷蔵庫の変形例２の説明図である。
【図８】従来の冷蔵庫の吸入管等の配置の説明図である。
【発明を実施するための形態】
【００１１】実施の形態．  図１Ａは、本実施の形態に係る冷蔵庫１００の正面図である。図１Ｂは、（ａ）が図１に示す冷蔵庫１００の断面図であり、（ｂ）が冷蔵庫１００が備える冷凍サイクル装置１００Ｂ等の概要説明図である。図１Ａ及び図１Ｂを参照して、冷蔵庫１００の全体構成について説明する。なお、以下の説明において、右側及び左側は、冷蔵庫１００の前面側から奥側に向かう方向を正面としたときのものである。つまり、右側は、図１の紙面の右側に対応し、左側は、図１の紙面の左側に対応している。
【００１２】［冷蔵庫１００の構成］  冷蔵庫１００は、断熱箱体１００Ａ内に貯蔵室１０が３つ形成されている。貯蔵室１０は、上段から、冷蔵室１Ａと、冷凍室１Ｂと、野菜室１Ｃとを含む。冷蔵室１Ａの右側及び左側には、観音開き式扉１ＡＡが開閉自在に設けられている。冷凍室１Ｂには、引出式扉１ＢＢが前後に開閉自在に設けられている。野菜室１Ｃには、引出式扉１ＣＣが設けられている。
【００１３】  冷蔵室１Ａは、収容物が凍らない程度の温度を維持する貯蔵室である。冷凍室１Ｂは、冷凍温度帯に設定される貯蔵室である。野菜室１Ｃは、主に野菜の貯蔵を目的とした貯蔵室である。なお、本実施の形態では、上段から順番に、冷蔵室１Ａ、冷凍室１Ｂ及び野菜室１Ｃを配置した例を示しているがそれに限定されるものではない。
【００１４】  断熱箱体１００Ａは、仕切壁で貯蔵室１０が区画されている内箱１と、内箱１の外側に配置され、前面に開口を有する外箱２とを含む。内箱１と外箱２との間には、断熱材３が配置されている。なお、断熱箱体１００Ａのうちの背面側に位置する断熱材３は、発泡断熱材３ａ及び真空断熱材３ｂとを含んでいる。発泡断熱材３ａは、例えば、ウレタンで構成することができる。本実施の形態では、発泡断熱材３ａがウレタンであるものとして説明する。真空断熱材３ｂは、例えば、繊維、及び繊維を収容する外包材等で構成することができる。
【００１５】  冷蔵庫１００は、冷凍サイクル装置１００Ｂが備えられている。冷凍サイクル装置１００Ｂは、冷媒を圧縮する圧縮機５と、冷媒を放熱させる凝縮パイプ１４と、冷媒を減圧する減圧機構としての毛細管７と、冷媒を蒸発させる蒸発器として機能する冷却器４とを含む。凝縮パイプ１４は、断熱箱体１００Ａ内を引き回すように配置されている。これにより、断熱箱体１００Ａが結露等することを回避している。  圧縮機５は、冷媒を圧縮して吐出する機能を有する。圧縮機５は、断熱箱体１００Ａの底部に載置されているものである。圧縮機５は、冷媒吐出側が凝縮パイプ１４に接続され、冷媒吸入側が吸入管６に接続されている。  凝縮パイプ１４は、冷媒を凝縮液化させる機能を有する。凝縮パイプ１４は、一端が圧縮機５の冷媒吐出側に接続され、他端が毛細管７に接続されている。凝縮パイプ１４は、図２（ｂ）に示すように断熱箱体１００Ａ内に引き回されて設けられている。  毛細管７は、冷媒を減圧する機能を有する。毛細管７は、一端が凝縮パイプ１４に接続され、他端が冷却器４に接続されているものである。  冷却器４は、冷媒を蒸発させる機能を有する。また、冷却器４では、冷媒が蒸発するときに空気から熱を奪い、空気を冷却させることができる。冷却器４は、一端が毛細管７に接続され、他端が吸入管６に接続されている。冷却器４には、空気を冷却器４に供給する送風機２０が付設されている。この送風機２０は、貯蔵室１０の奥側等に配置される。送風機２０が運転することで、冷却器４に空気が供給される。なお、冷却器４に供給された空気は、冷却器４で冷却され、各貯蔵室１０に供給される。  なお、毛細管７及び吸入管６については、断熱箱体１００Ａの背面側に配置されている。
【００１６】［吸入管６等の詳細構成］  図２は、本実施の形態に係る冷蔵庫１００を背面側から見た説明図である。図３は、本実施の形態に係る冷蔵庫１００の外箱２及び内箱１と、吸入管６及び毛細管７とを断面視した説明図である。図２及び図３を参照して冷蔵庫１００の吸入管６等の構成について説明する。
【００１７】  吸入管６は、冷媒流れ方向の上流側に対応する一端が冷却器４に接続され、冷媒流れ方向の下流側に対応する他端が圧縮機５の吸入側に接続されている。吸入管６は、断熱箱体１００Ａの背面側に配置されている。また、吸入管６は、断熱箱体１００Ａを構成している内箱１及び外箱２との間に形成される空間に配置されている。この空間には、発泡断熱材３ａが充填されるとともに、真空断熱材３ｂが配置されている。  吸入管６の一端は、冷却器４の上部に接続されている。吸入管６は、内箱１の背面側であって冷却器４の背面側を、蛇行するように引き回された状態で、断熱箱体１００Ａに設けられている。すなわち、吸入管６の一端は、圧縮機５よりも上側に位置する冷却器４に接続されているため、吸入管６の他端よりも位置が高い。そして、吸入管６は、この一端から冷却器４の背面側を蛇行しながら、下側に延びるように引き回され、圧縮機５に接続される。
【００１８】  毛細管７は、冷媒流れ方向の上流側に対応する一端が凝縮パイプ１４に接続され、冷媒流れ方向の下流側に対応する他端が冷却器４の上流側に接続されている。毛細管７は、吸入管６と同様に、断熱箱体１００Ａの背面側に配置されている。すなわち、毛細管７は、吸入管６とともに併設されている。したがって、毛細管７も、内箱１及び外箱２との間に形成される空間であって発泡断熱材３ａ及び真空断熱材３ｂの配置される空間に配置されている。吸入管６よりも毛細管７の方が内箱１寄りに配置されている。また、毛細管７よりも吸入管６の方が外箱２寄りに配置されている。
【００１９】  発泡断熱材３ａは、ウレタンで構成される断熱材である。発泡断熱材３ａは、例えば、内箱１と外箱２との間に真空断熱材３ｂを配置した後に、充填される。発泡断熱材３ａは、前面が内箱１に接触し、背面が真空断熱材３ｂの前面に接触するように設けられている。すなわち、発泡断熱材３ａのうち断熱箱体１００Ａの背面側に位置する部分については、真空断熱材３ｂと併設されている。なお、発泡断熱材３ａは、断熱箱体１００Ａの両側面等にも充填されている。発泡断熱材３ａには、吸入管６及び毛細管７が通過するように配置されている。つまり、吸入管６及び毛細管７は、発泡断熱材３ａを通過した状態で、断熱箱体１００Ａの背面側に設けられている。
【００２０】  真空断熱材３ｂは、発泡断熱材３ａよりも外側に位置するように断熱箱体１００Ａ内に設けられているものである。真空断熱材３ｂには、吸入管６及び毛細管７が通過していない。真空断熱材３ｂは、前面が発泡断熱材３ａの前面に接触し、背面が外箱２に接触するように設けられている。
【００２１】  図３に示すように、毛細管７と吸入管６のうち内箱１に近い方のものと内箱１の背面との距離をｄ１とする。ここで、本実施の形態では、毛細管７の方が内箱１に近い。したがって、距離ｄ１は、毛細管７の前端と内箱１の背面との間の距離である。  また、真空断熱材３ｂの厚みをｄ２とする。  また、毛細管７と吸入管６のうち内箱１に近い方のものと真空断熱材３ｂの前面との距離をｄ３とする。ここで、本実施の形態では、毛細管７の方が内箱１に近い。したがって、距離ｄ３は、毛細管７の前端と真空断熱材３ｂとの間の距離である。  なお、冷蔵庫１００の断熱箱体１００Ａの背面壁厚さは、ｄ１＋ｄ２＋ｄ３で表すことができる。すなわち、背面壁厚さは、内箱１の背面と外箱２の前面との間の距離に対応しているが、ｄ１＋ｄ２＋ｄ３で表すことができる。
【００２２】［貯蔵室１０への熱侵入の抑制］  図４は、比率ｃ１と冷蔵庫１００の貯蔵室１０への熱侵入量との関係と、比率ｃ１と外箱背面温度との関係を示すグラフである。図５は、冷蔵庫内側の熱と冷蔵庫外側の熱とのやりとりについての説明図である。図４及び図５を参照して、貯蔵室１０への熱侵入の抑制について説明する。
【００２３】  吸入管６の温度は、冷却器４側の入口が−３５〜−２０℃程度であり、出口に向かってほぼ線形的に温度が上昇し、圧縮機５側の出口では２５〜３０℃程度となる。一方、冷却器の温度は約−３５〜−２０℃であり、吸入管６との温度差は最大で６５℃程度となる。したがって、断熱箱体１００Ａのうち冷却器４が配置されている部分と、吸入管６との温度差も、これと同等の温度差が生じうる。  吸入管６及び毛細管７は、断熱箱体１００Ａの発泡断熱材３ａ内に配置されている。ここで、従来の冷蔵庫では、内箱１と吸入管６及び毛細管７との距離ｄ１を小さく設定していた（図８参照）。また、従来の冷蔵庫では、内箱１に吸入管６がテープで貼付されて固定されていることもあった。したがって、吸入管６等の熱が、特に冷却器４が配置されている貯蔵室１０へ、伝達されてしまう現象（熱戻り）の影響が大きくなっていた。
【００２４】  冷蔵庫１００の断熱箱体１００Ａの背面における熱侵入としては、主に外気からの熱侵入量Ｑｏｕｔと、吸入管６からの熱侵入量Ｑｓｕｃとに分けて考えることができる。そして、熱侵入量Ｑｏｕｔと熱侵入量Ｑｓｕｃの合計値Ｑｔｏｔａｌが、冷蔵庫１００の断熱箱体１００Ａの背面からの熱侵入量となる。  本実施の形態では、冷蔵庫１００の断熱箱体１００Ａの背面側に設置される真空断熱材３ｂの厚さｄ２を１５〜２０ｍｍといった値に留め、薄めに設定している。その代わり、吸入管６及び毛細管７を内箱１に対して背面側へ移動し、吸入管６及び毛細管７と内箱１との距離ｄ１を３．７５ｍｍ以上であって１０．０ｍｍ未満といった値だけ確保し、大きめに設定している。  このように、真空断熱材３ｂの厚さｄ２を薄くして、外気からの熱侵入量Ｑｏｕｔが増加しても、距離ｄ１を適切に確保することで、全体としての熱侵入量の合計値Ｑｔｏｔａｌを減少させることができる。すなわち、外気からの熱侵入量Ｑｏｕｔが増加しても、吸入管６及び毛細管７からの熱戻り減少量が上回るということである。
【００２５】  ここで、配管断熱の熱抵抗値はｄ１／λａと表すことができる。ここで、配管断熱の配管は、配管としての毛細管７及び配管としての吸入管６を指している。  また、真空断熱材３ｂの熱抵抗値はｄ２／λｂと表すことができる。  そして、この配管断熱の熱抵抗値と真空断熱材３ｂの熱抵抗値との比率ｃ１を次の式で定義する。
【００２６】
【数１】
2017022102.tif 000003
【００２７】  なお、λａは発泡断熱材３ａの熱伝導率［Ｗ／ｍＫ］、λｂは真空断熱材３ｂの熱伝導率［Ｗ／ｍＫ］を表している。
【００２８】  図４では、比率ｃ１と背面における熱侵入量の合計値Ｑｔｏｔａｌ（＝Ｑｓｕｃ＋Ｑｏｕｔ）の関係を示している。また、図４では、背面壁厚さ（＝ｄ１＋ｄ２＋ｄ３）が３０ｍｍ、４０ｍｍ、５０ｍｍの各値で一定の場合について、それぞれ熱侵入量の合計値Ｑｔｏｔａｌについて示している。  なお、図４では、比率ｃ１を以下の条件のもとで変化させている。  （条件１）ｄ１＝０ｍｍのときを比率ｃ１＝０とする。  （条件２）ｄ１を増加させた分、ｄ２が減少させる。  （条件３）ｄ３は１０ｍｍで一定値とする。
【００２９】  図４より、熱侵入量の合計値Ｑｔｏｔａｌは下に凸の線となり、熱侵入量の合計値Ｑｔｏｔａｌの値が小さくなる比率ｃ１の範囲が存在することが分かる。  これは、比率ｃ１が小さい場合は、その分、距離ｄ１が小さく吸入管６からの熱侵入量Ｑｓｕｃが大きくなる。このため、比率ｃ１を０．０２５よりも小さい場合は、熱侵入量の合計値Ｑｔｏｔａｌとしては大きくなる。  その一方で、比率ｃ１が大きい場合は、その分、距離ｄ１は大きくなり吸入管６からの熱侵入量Ｑｓｕｃは減少するものの、真空断熱材厚さｄ２が小さくなる。このため、比率ｃ１が０．０５を超えて大きくなる場合は、外気からの熱侵入量Ｑｏｕｔが増加し、熱侵入量の合計値Ｑｔｏｔａｌが増加する。
【００３０】  図４より、特に比率ｃ１が０．０２５より小さい場合は、熱侵入量が急激に増加するため、比率ｃ１を０．０２５以上とすることで、熱侵入量の合計値Ｑｔｏｔａｌを抑制することができる。また、比率ｃ１の値が大きくなると熱侵入量の合計値Ｑｔｏｔａｌは緩やかに増加するが、比率ｃ１を０．０８５以下とすることで、Ｑｔｏｔａｌを抑制することができる。比率ｃ１の値が、０．０２５以上、０．０８５以下では、熱侵入量の合計値Ｑｔｏｔａｌの値を熱侵入量の合計値Ｑｔｏｔａｌの最小値に対して１１０％以下とすることができる。このため、比率ｃ１の値が、０．０２５以上、０．０８５以下の範囲は、熱侵入の抑制に効果的ということができる。
【００３１】［外箱２の露付き抑制］  上述した図４を参照して、冷蔵庫１００の外箱２の露付きを抑制することについて説明する。冷蔵庫１００の背面に凝縮パイプ１４を備えない冷蔵庫１００では、吸入管６から冷蔵庫１００の背面が冷却されるため、外箱２の背面の温度が低下し、露点温度以下となると露付きが発生する。外箱２の背面の温度Ｔｏについて、図５をもとに説明する。外箱２の背面の温度Ｔｏは以下の式で考えることができる。
【００３２】
【数２】
2017022102.tif 000004
【００３３】  Ｔａｉｒは、冷蔵庫１００外の空気温度、Ｔｓｕｃは、吸入管６表面の温度である。  ここで、ＲＶＩＰは、真空断熱材３ｂと外箱２の熱抵抗値を表し、Ｒａｉｒは、冷蔵庫１００外空気と外箱２との熱抵抗値を表しているが、これらは、単位面積当たりで考えると以下の式で表される。
【００３４】
【数３】
2017022102.tif 000005
【００３５】  ここで、αａｉｒは冷蔵庫１００外の空気と外箱背面の熱伝達率である。上式から考えると、ある外気温度条件、及び冷蔵庫１００のある運転条件を仮定した場合には、冷蔵庫１００外の空気温度Ｔａｉｒ、熱抵抗値Ｒａｉｒ、Ｔｓｕｃの値は決定するため、露付き抑制のためには、冷蔵庫背面断熱壁の構造をＲ真空断熱材が一定値以上になるようにすることが必要となる。
【００３６】  次に、外箱表面の温度Ｔｏと比率ｃ１の関係について考える。図４に、外気３０℃、吸入管６の表面温度が−３５℃の場合の冷蔵庫背面の温度を一点鎖線で示す。また図４に、外気３０℃、相対湿度９０％の条件での露点温度を点線で示す。  比率ｃ１の分母の値である真空断熱材３ｂの熱抵抗値（＝ｄ２／λｂ）が低下する、つまり比率ｃ１の値が大きくなると、冷蔵庫１００の背面の温度は低下する。  図４に示すように、比率ｃ１の値を０.０５未満とすれば、冷蔵庫１００の背面（外箱２の背面）の温度は露点より高くなり、冷蔵庫１００の背面の露付きを抑制することができることが分かる。  また、貯蔵室１０への熱侵入の抑制を踏まえて、比率ｃ１を０.０２５以上とし、さらに、ここで説明したように、露付きを踏まえて比率ｃ１を０．０５未満とする。
【００３７】  以上より、比率ｃ１が０.０２５以上０.０５未満の範囲では、冷蔵庫１００の背面からの熱侵入量の合計値Ｑｔｏｔａｌを抑制することができる。また、比率ｃ１の値を０.０５未満としているため、冷蔵庫１００の背面の温度低下を抑制し、露付きを抑制することができる。  また、本実施の形態では、冷蔵庫１００の断熱箱体１００Ａの背面壁厚さ（＝ｄ１＋ｄ２＋ｄ３）が一定の場合における最適なｄ１とｄ２の関係を算出し、冷蔵庫１００に適用している。このため、本実施の形態に係る冷蔵庫１００では、貯蔵室１０の内容積減少、及び断熱箱体１００Ａが占める設置面積の増加を回避しながら、熱侵入を抑制することができる。
【００３８】  例えば、試算すると、λａ／λｂ＝１０、真空断熱材厚さｄ２＝１５〜２０ｍｍの場合では、比率ｃ１が０．０２５以上０．０５未満の範囲で、ｄ１は３．７５ｍｍ以上、１０ｍｍ未満となる。本実施の形態では、熱伝導率λも考慮した熱抵抗値で比率ｃ１を定義している。発泡断熱材３ａ及び真空断熱材３ｂの熱伝導率λが変化した場合でも、比率ｃ１が上記の範囲となるように吸入管６を配置することで、貯蔵室１０への熱侵入を抑制することができる。
【００３９】［本実施の形態の効果］  本実施の形態に係る冷蔵庫１００は、内箱１と、内箱１の外側に配置された外箱２と、内箱１と外箱２との間に位置する断熱材３とを含む断熱箱体１００Ａと、圧縮機５、凝縮器としての凝縮パイプ１４、毛細管７、蒸発器としての冷却器４及び吸入管６がこの順番で接続されて構成された冷凍サイクル装置１００Ｂと、を備え、断熱材３は、少なくとも冷却器４の背面側に位置するように設けられ、前面が内箱１の背面と対向して設けられた発泡断熱材３ａと、前面が発泡断熱材３ａに対向して設けられ、背面が外箱２の前面と対向して設けられた真空断熱材３ｂとを含み、毛細管７及び吸入管６は、断熱材３のうちの発泡断熱材３ａを通過した状態で設けられ、毛細管７、吸入管６、発泡断熱材３ａ及び真空断熱材３ｂは、毛細管７及び吸入管６のうち内箱１に近い方のものと内箱１の背面との距離をｄ１とし、真空断熱材３ｂの厚みをｄ２とし、発泡断熱材３ａの熱伝導率をλａとし、真空断熱材３ｂの熱伝導率をλｂとしたとき、比率ｃ１の値が、０．０２５以上０．０５未満になるように構成されている。  このように、本実施の形態に係る冷蔵庫１００は、上述のように、比率ｃ１を満たすように構成されているので、吸入管６及び毛細管７の熱が貯蔵室内に侵入することを抑制すること、及び、外箱２の露付きを抑制することを両立することができる。
【００４０】  本実施の形態に係る冷蔵庫１００は、貯蔵室１０内に熱が侵入することを抑制することができるので、効率的に貯蔵室１０内の空気を冷却することができる。これにより、冷蔵庫１００の消費電力を抑制することができる。
【００４１】  本実施の形態に係る冷蔵庫１００では、図３等に示すように、吸入管６及び毛細管７の断面形状が円形である態様について説明したが、それに限定されるものではない。例えば、四角形等であっても、本実施の形態に係る冷蔵庫１００と同様の効果を得ることができる。
【００４２】［変形例１］  図６は、本実施の形態に係る冷蔵庫１００の変形例１の説明図である。  本実施の形態に係る冷蔵庫１００では、吸入管６及び毛細管７を発泡断熱材３ａに配置していたが、吸入管６及び毛細管７を支持する固定部材の説明はしていなかった。変形例１では、冷蔵庫１００に固定部材を設けた態様について説明する。  変形例１では、吸入管６及び毛細管７の一部を内箱１の凸部５０上に配置し、固定する。すなわち、内箱１の一部に凸部５０を形成するということである。したがって、凸部５０の形成位置以外では、吸入管６及び毛細管７と内箱１との間の距離ｄ１は確保されている。これにより、吸入管６及び毛細管７の支持をしながらも、吸入管６及び毛細管７と内箱１との間の距離ｄ１を確保し、貯蔵室１０への熱侵入を抑制することができる。
【００４３】  また、変形例１では、内箱１に吸入管６等を固定する凸部５０を形成しており、樹脂製の吸入管６等の固定用のホルダのような別部品を使用しない分、冷蔵庫１００の製造コストを抑制することができる。
【００４４】  本実施の形態に係る冷蔵庫１００の内箱１は、毛細管７の配置位置に設けられ、外箱２側に突出する凸部５０を含み、毛細管７及び吸入管６は、凸部５０に固定されている。これにより、吸入管６をより確実に断熱箱体１００Ａに固定しながらも、製造コストを抑制することができる。
【００４５】［変形例２］  図７は、本実施の形態に係る冷蔵庫１００の変形例２の説明図である。  変形例１では内箱１に凸部５０を形成したが、固定部材としての治具５１を内箱１上に設置してもよい。すなわち、吸入管６及び毛細管７の一部を治具５１上に配置し、治具５１に固定する。すなわち、内箱１の一部に治具５１を配置するということである。したがって、治具５１の配置位置以外では、吸入管６及び毛細管７と内箱１との間の距離ｄ１は確保されている。このように、変形例２においても、吸入管６及び毛細管７の支持をしながら、吸入管６及び毛細管７と内箱１との間の距離ｄ１を確保し、貯蔵室１０への熱侵入を抑制することができる。  なお、治具５１としては、例えば、断熱性に優れた樹脂等で構成される発泡体を用いることができる。樹脂製のホルダを使用した場合に比べ、樹脂によるヒートブリッジを抑制することができるため、貯蔵室１０への熱侵入量を抑制することができる。
【００４６】  本実施の形態に係る冷蔵庫１００は、内箱１には、発泡体で構成され、毛細管７の配置位置に位置する固定部材５１が設けられ、毛細管７は、固定部材５１に固定されている。これにより、吸入管６をより確実に断熱箱体１００Ａに固定しながらも、貯蔵室１０への熱侵入を抑制することができる。
【符号の説明】
【００４７】  １  内箱、１Ａ  冷蔵室、１ＡＡ  観音開き式扉、１Ｂ  冷凍室、１ＢＢ  引出式扉、１Ｃ  野菜室、１ＣＣ  引出式扉、２  外箱、３  断熱材、３ａ  発泡断熱材、３ｂ  真空断熱材、４  冷却器、５  圧縮機、６  吸入管、７  毛細管、１０  貯蔵室、１４  凝縮パイプ、２０  送風機、５０  凸部、５１  治具（固定部材）、１００  冷蔵庫、１００Ａ  断熱箱体、１００Ｂ  冷凍サイクル装置。
【図１Ａ】
2017022102.tif 000006
【図１Ｂ】
2017022102.tif 000007
【図２】
2017022102.tif 000008
【図３】
2017022102.tif 000009
【図４】
2017022102.tif 000010
【図５】
2017022102.tif 000011
【図６】
2017022102.tif 000012
【図７】
2017022102.tif 000013
【図８】
2017022102.tif 000014
【手続補正書】
【提出日】平成29年10月27日(2017.10.27)
【手続補正１】
【補正対象書類名】明細書
【補正対象項目名】０００８
【補正方法】変更
【補正の内容】
【０００８】
本発明に係る冷蔵庫は、内箱と、内箱の外側に配置された外箱と、内箱と外箱との間に位置する断熱材とを含む断熱箱体と、圧縮機、凝縮器、毛細管、冷却器及び吸入管がこの順番で接続されて構成された冷凍サイクル装置と、を備え、断熱材は、冷却器の背面側に位置するように設けられ、前面が内箱の背面と対向して設けられた発泡断熱材と、前面が発泡断熱材に対向して設けられ、背面が外箱の前面と対向して設けられた真空断熱材とを含み、毛細管及び吸入管は、断熱材のうちの発泡断熱材を通過した状態で設けられ、毛細管、吸入管、発泡断熱材及び真空断熱材は、毛細管及び吸入管のうち内箱に近い方のものと内箱の背面との距離をｄ１とし、真空断熱材の厚みをｄ２とし、発泡断熱材の熱伝導率をλａとし、真空断熱材の熱伝導率をλｂとし、比率ｃ１をｃ１＝（ｄ１／λａ）／（ｄ２／λｂ）との式で表したときにおいて、比率ｃ１の値が、０．０２５以上０．０５未満になるように構成され、内箱は、毛細管の配置位置に設けられ、外箱側に突出する凸部を含み、吸入管及び毛細管は、凸部に固定されているものである。
【手続補正２】
【補正対象書類名】明細書
【補正対象項目名】００１５
【補正方法】変更
【補正の内容】
【００１５】
冷蔵庫１００は、冷凍サイクル装置１００Ｂが備えられている。冷凍サイクル装置１００Ｂは、冷媒を圧縮する圧縮機５と、冷媒を放熱させる凝縮パイプ１４と、冷媒を減圧する減圧機構としての毛細管７と、冷媒を蒸発させる蒸発器として機能する冷却器４とを含む。凝縮パイプ１４は、断熱箱体１００Ａ内を引き回すように配置されている。これにより、断熱箱体１００Ａが結露等することを回避している。
圧縮機５は、冷媒を圧縮して吐出する機能を有する。圧縮機５は、断熱箱体１００Ａの底部に載置されているものである。圧縮機５は、冷媒吐出側が凝縮パイプ１４に接続され、冷媒吸入側が吸入管６に接続されている。
凝縮パイプ１４は、冷媒を凝縮液化させる機能を有する。凝縮パイプ１４は、一端が圧縮機５の冷媒吐出側に接続され、他端が毛細管７に接続されている。凝縮パイプ１４は、図１Ｂ（ｂ）に示すように断熱箱体１００Ａ内に引き回されて設けられている。
毛細管７は、冷媒を減圧する機能を有する。毛細管７は、一端が凝縮パイプ１４に接続され、他端が冷却器４に接続されているものである。
冷却器４は、冷媒を蒸発させる機能を有する。また、冷却器４では、冷媒が蒸発するときに空気から熱を奪い、空気を冷却させることができる。冷却器４は、一端が毛細管７に接続され、他端が吸入管６に接続されている。冷却器４には、空気を冷却器４に供給する送風機２０が付設されている。この送風機２０は、貯蔵室１０の奥側等に配置される。送風機２０が運転することで、冷却器４に空気が供給される。なお、冷却器４に供給された空気は、冷却器４で冷却され、各貯蔵室１０に供給される。
なお、毛細管７及び吸入管６については、断熱箱体１００Ａの背面側に配置されている。
【手続補正３】
【補正対象書類名】特許請求の範囲
【補正対象項目名】全文
【補正方法】変更
【補正の内容】
【特許請求の範囲】
【請求項１】
内箱と、前記内箱の外側に配置された外箱と、前記内箱と前記外箱との間に位置する断熱材とを含む断熱箱体と、
圧縮機、凝縮器、毛細管、冷却器及び吸入管がこの順番で接続されて構成された冷凍サイクル装置と、
を備え、
前記断熱材は、
前記冷却器の背面側に位置するように設けられ、
前面が前記内箱の背面と対向して設けられた発泡断熱材と、
前面が前記発泡断熱材に対向して設けられ、背面が前記外箱の前面と対向して設けられた真空断熱材とを含み、
前記毛細管及び前記吸入管は、
前記断熱材のうちの前記発泡断熱材を通過した状態で設けられ、
前記毛細管、前記吸入管、前記発泡断熱材及び前記真空断熱材は、
前記毛細管及び前記吸入管のうち前記内箱に近い方のものと前記内箱の背面との距離をｄ１とし、
前記真空断熱材の厚みをｄ２とし、
前記発泡断熱材の熱伝導率をλａとし、
前記真空断熱材の熱伝導率をλｂとし、
比率ｃ１をｃ１＝（ｄ１／λａ）／（ｄ２／λｂ）との式で表したときにおいて、
前記比率ｃ１の値が、０．０２５以上０．０５未満になるように構成され、
前記内箱は、
前記毛細管の配置位置に設けられ、前記外箱側に突出する凸部を含み、
前記吸入管及び前記毛細管は、
前記凸部に固定されている
冷蔵庫。
【請求項２】
前記毛細管よりも前記吸入管の方が、前記外箱側に配置されている
請求項１に記載の冷蔵庫。
【国際調査報告】
2017022102.tif 000015
2017022102.tif 000016
2017022102.tif 000017
2017022102.tif 000018